(57)【要約】  熱交換器１は、所定のフィンピッチを介して積層された複数のフィン１２と、前記積層方向に沿ってフィン１２を貫通する複数の断面扁平形状の伝熱管１０とを備え、フィン１２は、長手方向側の端部に伝熱管１０の断面形状に対応した形状の複数の切り欠き１３が形成され、切り欠き１３の縁にはカラー１４が形成され、これら切り欠き１３に伝熱管１０が挿入され、複数のフィン１２の一部の間のフィンピッチは、他のフィン１２の間のフィンピッチよりも大きくなっており、少なくとも前記の大きいフィンピッチは、カラー１４の高さよりも大きくなっている。
2014024221.tif 000002
【特許請求の範囲】
【請求項１】
所定のフィンピッチを介して積層された複数のフィンと、
前記フィンの長手方向に沿って所定の間隔を介して配置され、前記積層方向に沿って前記フィンを貫通する複数の伝熱管と、
を備え、
複数の前記伝熱管は、断面が扁平形状の伝熱管であり、
複数の前記フィンは、長手方向側の端部に、前記伝熱管の断面形状に対応した形状の複数の切り欠きが形成され、
複数の前記切り欠きの縁にはカラーが形成され、
これら前記切り欠きに前記伝熱管が挿入され、
複数の前記フィンの一部の間のフィンピッチは、他の前記フィンの間のフィンピッチよりも大きくなっており、
少なくとも前記の大きいフィンピッチは、前記フィンの板面からの前記カラーの突出量である前記カラーの高さよりも大きくなっていることを特徴とする熱交換器。
【請求項２】
吸込口及び吹出口が形成された筐体と、
該筐体に設けられた請求項１に記載の熱交換器と、
前記筐体に設けられたファンと、を備えたことを特徴とする空気調和機。
【請求項３】
前記筐体には、前記熱交換器と前記ファンとの間風路に収納物が収容され、
前記熱交換器は、
前記収容部との距離が所定の距離以内となる範囲のフィンピッチが、前記の大きいフィンピッチとなっていることを特徴とする請求項２に記載の空気調和機。
【請求項４】
前記筐体は、少なくとも一側面部に前記前記吸込口が形成されて、上面部に吹出口が形成され、
前記熱交換器は、該吸込口に対向して設けられ、
前記ファンは、プロペラファンであり、前記吹出し口に対向して設けられ、
該プロペラファンの直径をＤ、前記熱交換器と前記収容物との間の距離をＬとした場合、
前記熱交換器は、
Ｌ／Ｄ≦０．１５の関係となる範囲のフィンピッチが、前記の大きいフィンピッチとなっていることを特徴とする請求項３に記載の空気調和機。
【請求項５】
前記の大きいフィンピッチをｆｐ２、他の前記フィンの間のフィンピッチをｆｐ１とした場合、
前記熱交換器は、当該熱交換器におけるフィンピッチがｆｐ２となっている範囲の前記フィンのフィンピッチをｆｐ１に形成した熱交換器に対し、成績係数が９５％以上となるようにｆｐ２が設定されていることを特徴とする請求項３又は請求項４に記載の空気調和機。
【請求項６】
前記収容物は制御盤であり、該制御盤は前記筐体の一側面部に設けられ、
前記吸込口は、前記制御盤が配置された前記筐体の側面部と隣接する側面部に少なくとも形成され、
前記熱交換器は、該吸込口に対向して設けられ、
前記熱交換器における前記制御盤側の端部のフィンピッチが、前記の大きいフィンピッチとなっていることを特徴とする請求項２〜請求項５のいずれか一項に記載の空気調和機。
【請求項７】
前記熱交換器は、該熱交換器を通る空気の流れ方向に沿って、複数の熱交換器部に分割されており、
これら分割された複数の前記熱交換器部のうちの少なくとも１つは、下流側に配置された前記熱交換器部のフィンピッチが上流側に配置された前記熱交換器部のフィンピッチよりも大きくなっていることを特徴とする請求項２に記載の空気調和機。
【請求項８】
前記熱交換器は、該熱交換器を通る空気の流れ方向に沿って、複数の熱交換器部に分割されており、
これら分割された複数の前記熱交換器部のうちの少なくとも１つは、上流側に配置された前記熱交換器部のフィンピッチが下流側に配置された前記熱交換器部のフィンピッチよりも大きくなっていることを特徴とする請求項２に記載の空気調和機。
【請求項９】
前記熱交換器には曲げ部が形成され、
前記曲げ部に配置された前記フィンの間のフィンピッチが、直線部に配置された前記フィンの間フィンピッチよりも大きくなっていることを特徴とする請求項２に記載の空気調和機。
【請求項１０】
前記熱交換器には曲げ部が形成され、
直線部に配置された前記フィンの間のフィンピッチが、前記曲げ部に配置された前記フィンの間フィンピッチよりも大きくなっていることを特徴とする請求項２に記載の空気調和機。
【請求項１１】
前記筐体は、少なくとも一側面部に前記前記吸込口が形成されて、上面部に吹出口が形成され、
前記ファンは、プロペラファンであり、前記吹出し口に対向して設けられ、
前記熱交換器は、該吸込口に対向して設けられ、上下方向に、複数の熱交換器部に分割されており、
これら分割された複数の前記熱交換器部のうちの少なくとも１つは、下方に配置された前記熱交換器部のフィンピッチが上方に配置された前記熱交換器部のフィンピッチよりも大きくなっていることを特徴とする請求項２に記載の空気調和機。
【請求項１２】
前記フィンと前記伝熱管とは、ろう付け又は接着にて固着されていることを特徴とする請求項１に記載の熱交換器。
【発明の詳細な説明】
【技術分野】
【０００１】
本発明は、熱交換器及びこの熱交換器を備えた空気調和機に関するものである。
【背景技術】
【０００２】
従来より、空気調和機の熱交換器には、円形穴の形成された複数枚の帯板状のアルミ製フィンを所定のフィンピッチを介して積層し、これら積層されたフィン（以下、フィン群とも称する）の積層方向に沿って円形状断面の複数本の銅製又はアルミ製の伝熱管を挿入後、水圧式や機械式の拡管機を用いて伝熱管の内径を拡大することにより、熱交換器の伝熱性能に必要なフィンと伝熱管の密着性を確保するようにしたプレートフィンチューブ式構造が多く採用されている（例えば、特許文献１参照）。【０００３】
また、フィンの円形穴の縁には、フィンと伝熱管とが密着する面積を増やすため、円筒形状のカラーを形成するバーリング加工が施されている。また、円形穴の間のフィン平板部には、フィン間を流れる空気とフィンとの熱交換性能を向上させるため、スリットが設けられているものもある。フィンに形成する円形穴、カラー及びスリットの加工は、複数の工程を備えた順送金型をプレス機に載せ、帯板状のアルミ製フープ材を供給しながらプレス機を連続動作させることにより順次行われる（例えば、特許文献２参照）。そして、プレス加工によって円形穴、カラー及びスリットが加工されたフープ材を所望の帯板長さに切断することにより、フィンが完成する。【０００４】
このように形成されたフィンは、カラーを隣接するフィンに当接させながら、順次所用枚数積層された後、ヘアピンと呼ばれるＵ字成形部を備えた長い複数本の伝熱管の挿入・拡管が行われる。このように、フィンの積層と円管挿入はカラー基準で行われるので、結果的にフィンは、カラー高さの等間隔で積層・固着されることになる（例えば、特許文献３参照）。複数本の伝熱管は、端部でＵ字型に曲げられた配管接続用の円管であるＵベンドや分配器等の部品とろう付けで接続されることにより、フィン群内に幾重にも折り返す冷媒の連続流路が形成される。端部の配管を接続された伝熱管内蔵のフィン群は、Ｌ字形やコの字形に形成される場合もある。例えばコの字形に熱交換器を形成する場合、２回に渡ってフィン群にＬ字曲げ成形を行うことにより、最終的に、フィン群の全体形状及び内部の伝熱管形状がコの字形の熱交換器となる（例えば、特許文献４参照）。曲げ成形後の熱交換器においても、コの字形の３面（直線部）では、すべて成形前のまま、カラー高さの等間隔で各フィンが積層された状態となる。【０００５】
空気調和機は、昨今のエネルギー問題の高まり等を背景に、省エネ・低コスト化の競争が著ししい。このため上述のような熱交換器においては、伝熱管やフィンの形状、フィンピッチ、伝熱管やフィン材料等について、さらなる改善の施策が追求されるとともに、空気調和機の内部構造に応じてフィンピッチを変更するなどの方策も提案されている（例えば、特許文献５，６，７参照）。
【先行技術文献】
【特許文献】
【０００６】
【特許文献１】特公昭５８−１３２４９号公報（第３―４頁、第１−３図）
【特許文献２】特公昭５８−９３５８号公報（第２―３頁、第１−５図）
【特許文献３】特公平３−８０５７１号公報（第９頁、第１−２図）
【特許文献４】特許４４１７６２０号公報（第１５頁、図２０）
【特許文献５】特開昭６３−２３３２９６号公報（第２頁）
【特許文献６】特開２００４−２４５５３１号公報（第３頁）
【特許文献７】特開２００８−８５４１号公報（第７頁、図３）
【発明の概要】
【発明が解決しようとする課題】
【０００７】
上記のように、従来の熱交換器は、円形穴の縁にカラーが形成された複数のフィンを積層する工程、これら積層されたフィンの円形穴に円形状断面の伝熱管を挿入し、伝熱管を拡管する工程を経て完成する。このため、従来の熱交換器のフィン間のピッチは、バーリング加工のカラー高さで一定となる。したがって、従来の熱交換器は、空気調和機の性能改善のために空気調和機の内部構造等に応じて一部の範囲のフィンピッチを変更することが困難であった。このため、従来の熱交換器を備えた空気調和機は、熱交換器性能に対してコストが高いという課題があった。【０００８】
例えば、空気調和機の室外機は、筐体の内部に圧縮機カバー（圧縮機を格納するカバー）や制御盤等の収納物を内蔵している。このため、収納物の配置位置に応じて、熱交換器の各部における通風抵抗が異なってくる。しかしながら、従来の熱交換器は、フィンピッチがカラー高さによって決まってしまうので、熱交換器の各部における通風抵抗に応じて、熱交換器の一部の範囲でフィンピッチを変更することが困難であった。【０００９】
なお、熱交換器を分割する、異なるカラー高さのフィンを用いる等により、熱交換器の一部の範囲のフィンピッチを変更する構造も提案されている。しかしながら、熱交換器をこのような構造にするには、カラー高さに応じて、フィンの順送金型を複数種類準備する必要がある。あるいは、バーリング高さを段取りできる機構を備えた金型を準備する必要がある。このため、複数種類の金型を準備する場合には、金型費が高価になってしまったり、金型の交換作業が繁雑となるためにフィン製造費が高価になってしまう。また、バーリング高さを段取りできる機構を備えた金型を用いる場合には、金型の複雑・大型化及びこれに伴うプレス機の大型化により、金型費及びプレス機費用が高価になってしまう。また、このような構造の熱交換器を組み立てるには、カラー高さの異なるフィンを決められた位置に積層していく必要があるため、組立費用が高価になってしまう。また、現実的には、金型サイズの制約等から、カラー高さの異なるフィンの種類は２〜３種類準備するのが限界である。このため、熱交換器をこのような構造にするのは、現実的には困難である。【００１０】
また、このような問題を避けるため、カラーをフィンピッチ（積層間隔）より低くし、カラー高さ基準でフィンを積層せずに熱交換器を製造する方法も考えられる。しかしながら、このような方法で従来の熱交換器を製造する場合、フィンの円形穴に円形状断面の伝熱管を挿入する従来の熱交換器においては、所定のフィンピッチで各フィンが積層されたフィン群に伝熱管を挿入しようとすると、各フィンがずれてしまい、各フィンの間を所望のフィンピッチにできない。このため、このような方法で従来の熱交換器を製造する場合、伝熱管に１枚ずつフィンを取り付けていく必要がある。しかしながら、伝熱管に１枚ずつフィンを取り付けて従来の熱交換器を構成するためには、１枚ずつのフィンにおいて、フィンの円形穴に伝熱管を挿入し、当該フィンを伝熱管の管軸方向に沿って長ストローク移動させ、所望の位置に配置するという工程が必要となる。このため、カラーをフィンピッチ（積層間隔）より低くし、カラー高さ基準でフィンを積層せずに従来の熱交換器を製造することは、実現が困難である。【００１１】
本発明は、上記のような課題を解決するためになされたもので、第１の目的は、フィンの金型費、プレス機費用及び組立費用を増大させることなく、一部の範囲のフィンピッチを変更することができる熱交換器を得ることである。また、本発明の第２の目的は、当該熱交換器を備えることにより、熱交換器性能に対するコストを低減させ、省エネ・低コストな空気調和機を得ることである。
【課題を解決するための手段】
【００１２】
本発明に係る熱交換器は、所定のフィンピッチを介して積層された複数のフィンと、前記フィンの長手方向に沿って所定の間隔を介して配置され、前記積層方向に沿って前記フィンを貫通する複数の伝熱管と、を備え、複数の前記伝熱管は、断面が扁平形状の伝熱管であり、複数の前記フィンは、長手方向側の端部に、前記伝熱管の断面形状に対応した形状の複数の切り欠きが形成され、複数の前記切り欠きの縁にはカラーが形成され、これら前記切り欠きに前記伝熱管が挿入され、複数の前記フィンの一部の間のフィンピッチは、他の前記フィンの間のフィンピッチよりも大きくなっており、少なくとも前記の大きいフィンピッチは、前記フィンの板面からの前記カラーの突出量である前記カラーの高さよりも大きくなっているものである。【００１３】
また、本発明に係る空気調和機は、吸込口及び吹出口が形成された筐体と、該筐体に設けられた本発明に係る熱交換器と、前記筐体に設けられたファンと、を備えたものである。
【発明の効果】
【００１４】
本発明に係る熱交換器は、フィンの長手方向の端部に伝熱管が挿入される切り欠きが形成されている。このため、伝熱管の側面側からフィンを取り付けることができるので、端ストロークでフィンを所望の位置に取り付けることができる。したがって、カラー基準で事前にフィンを積層させたフィン群に伝熱管を挿入することなく、熱交換器を製造することができる。つまり、高価な金型やプレス機を要しない同一形状のフィンを、組立の手間を要することなく伝熱管の所望の位置に取り付けることができる。したがって、フィンの金型費、プレス機費用及び組立費用を増大させることなく、一部の範囲のフィンピッチを変更することができる熱交換器を得ることができる。【００１５】
また、本発明に係る空気調和機は上述のような本発明に係る熱交換器を備えているので、空気調和機の内部構造等に応じて熱交換器の一部の範囲のフィンピッチを変更することにより（例えば、収納物によって他の範囲よりも通過する風量が小さくなっている範囲のフィンピッチを大きく構成することにより）、従来に比べて有効にフィンを配分することができるので、価格対性能比の観点で、熱交換効率を改善でき、省エネ・低コストの空気調和機を得ることができる。また、従来どおりの性能で問題ない仕様の空気調和機に本発明を採用する場合には、上記の性能向上により余剰となった性能分だけフィンの枚数を低減できるので、同等の性能を確保しながら、空気調和機の小型化や低価格化が可能となる。
【図面の簡単な説明】
【００１６】
【図１】本発明の実施の形態１に係る室外機を示す斜視図である。
【図２】本発明の実施の形態１に係る室外機の内部構造を示す斜視図である。
【図３】本発明の実施の形態１に係る室外機における圧縮機カバー隣接範囲を説明するための説明図である。
【図４】本発明の実施の形態１に係る室外機における「圧縮機カバー隣接範囲５の風量Ｑ」と「圧縮機カバー隣接範囲５と圧縮機カバー７との距離Ｄと、プロペラファン９の直径Ｄと、の比率Ｌ／Ｄ」との相関を示す特性図である。
【図５】本発明の実施の形態１に係る室外機における圧縮機カバー隣接範囲のフィンピッチと成績係数との相関を示す特性図である。
【図６】本発明の実施の形態１に係る室外機の熱交換器の部品形状及び製造方法を説明するための説明図である。
【図７】本発明の実施の形態２に係る室外機における熱交換器及び制御盤８をプロペラファンの側から示した平面断面図である。
【図８】本発明の実施の形態２に係る室外機の内部構造を示す斜視図である。
【図９】本発明の実施の形態３に係る室外機における熱交換器をプロペラファンの側から示した平面断面図である。
【図１０】本発明の実施の形態４に係る室外機における熱交換器をプロペラファンの側から示した平面断面図である。
【図１１】温度効率εと熱交換器性能ＡＫとの関係を示す図である。
【図１２】本発明の実施の形態５における空気調和機の室外機における熱交換器のフィンの疎密の位置を示す正面図である。
【発明を実施するための形態】
【００１７】
実施の形態１．
本実施の形態１に係る熱交換器は、容易にフィンピッチの変更を行える従来とは異なる組立方法により、一部の範囲のフィンピッチが他の範囲のフィンピッチよりも大きく形成されたものである。また、本実施の形態１に係る空気調和機は、筐体内の内部構造を考慮して最適なフィン密度配置を行った本実施の形態１に係る熱交換器を備えたものであり、従来と同等の性能を維持しながら省エネ・低コスト・低価格化を可能としたものである。
以下、本実施の形態１に係る熱交換器、本実施の形態１に係る熱交換器の製造方法、及び本実施の形態１に係る空気調和機の詳細について説明する。なお、以下では、本実施の形態１に係る熱交換器を搭載した室外機を例に、本実施の形態１に係る空気調和機を説明する。
【００１８】
図１は、本発明の実施の形態１に係る室外機を示す斜視図である。また、図２は、この室外機の内部構造を示す斜視図である。なお、図２では、本実施の形態１に係る室外機の構造の理解を容易とするため、筐体の内部空間を占有する割合の多い収納物のみを図示し、冷媒配管、四方弁及びバルブ等の収納物の図示は省略している。
【００１９】
本実施の形態１に係る室外機１０１は、ビルや工場等で用いられる業務用の空気調和機の室外機である。この室外機１０１は、図示せぬ室内機と共に冷凍サイクルを構成するものであり、筐体３４内に熱交換器１、プロペラファン９、圧縮機を格納した圧縮機カバー７及び制御盤８等の収納物を収容したものである。
【００２０】
筐体３４は、略正方形状の上面部３５ａ及び底面部３５ｂの四隅をピラー３６（柱状部材）で接続した形状、つまり、四方の側面部が開口した略直方体形状となっている。そして、これら四方の側面部の開口のうち、３つの側面部の開口が吸込口３４ａとなっている。なお、吸込口３４ａに、熱交換器１へ手等が接触することを防止するため、格子状部の部材等を設けてもよい。また、筐体３４の上面部には略円筒形状の突出部が形成されている。この突出部の上面部及び外周部は開口しており、当該開口部が吹出口３４ｂとなっている。吹出口３４ｂには、当該吹出口３４ｂから吹き出される空気の流れを案内するファンガード３８が設けられている。
【００２１】
上記のように構成された筐体３４には、上述のように、熱交換器１、プロペラファン９、圧縮機を格納した圧縮機カバー７及び制御盤８等が収容されている。
熱交換器１は、３つの側面部に開口した吸込口３４ａと対向して設けられており、平面視コの字形状に形成されている。つまり、室外機１０１は、ピラー３６や吸込口３４ａに設けられた格子状部材を除く大半において、熱交換器１が周囲に露出する構造となっている。この熱交換器１は、上下方向に、３段の熱交換器部に分割されている（以下、これら３段の熱交換器部を区別して記載する必要がある場合、上側から順に、１段目熱交換器２、２段目熱交換器３及び３段目熱交換器４と称する）。また、これら１段目熱交換器２、２段目熱交換器３及び３段目熱交換器４のそれぞれは、これら熱交換器部を通る空気の流れ方向に沿って、さらに２列の熱交換器部に分割されている。
【００２２】
ここで、上記の熱交換器１の構成はあくまでも一例である。例えば、１段目熱交換器２、２段目熱交換器３及び３段目熱交換器４を一体で熱交換器１を形成してもよい。熱交換器１を１列の熱交換器として構成してもよい。また、吸込口３４ａが隣接する二つの側面部に形成されている場合には、平面視Ｌ字形状に熱交換器１を形成してもよい。また、熱交換器１に曲げ部を形成する必要は必ずしもなく、平面視直線状となる熱交換器部を組み合わせて熱交換器１を構成してもよい。なお、熱交換器１の詳細（フィン及び伝熱管の詳細構成、及び熱交換器１の製造方法）については後述する。
【００２３】
プロペラファン９は、その外周部が吹出口３４ｂと対向するように、上面部３５ａの凸部内に設けられている。つまり、本実施の形態１に係る室外機１０１は、このプロペラファン９が回転駆動することにより、筐体３４の側面部に形成された吸込口３４ａから外気を吸い込み、この吸い込んだ外気と熱交換器１内の冷媒とを熱交換させ、熱交換後の外気を吹出口３４ｂから吹き出す構成となっている。
【００２４】
圧縮機カバー７及び制御盤８は、平面視において熱交換器１に囲まれるように配置されている。つまり、これら圧縮機カバー７及び制御盤８は、筐体３４内における外気の風路上に配置されている。詳しくは、圧縮機カバー７は、平面視において熱交換器１に囲まれるように、筐体３４内の下方に設けられている。制御盤８は、平面視において熱交換器１に囲まれるように、筐体３４内の上方に設けられている。また、制御盤８は、吸込口３４ａとなっていない筐体３４の側面部と対向して設けられており、この側面部は、パネル３７で覆われている。
【００２５】
ここで、本実施の形態１に係る室外機１０１は、熱交換器１の３段目熱交換器４の一部に圧縮機カバー７が隣接する構成となっている（以下、この隣接する範囲を圧縮機カバー隣接範囲５と称する）。換言すると、本実施の形態１に係る室外機１０１は、３段目熱交換器４の圧縮機カバー隣接範囲５と圧縮機カバー７との距離が所定の距離以内となる構成になっている。つまり、熱交換器１は、圧縮機カバー隣接範囲５の通風抵抗が他の範囲（以下、圧縮機非隣接範囲６と称する）の通風抵抗よりも大きくなっており、圧縮機カバー隣接範囲５の風量が圧縮機非隣接範囲６の風量よりも小さくなっている。そこで、本実施の形態１では、圧縮機カバー隣接範囲５のフィンピッチを圧縮機非隣接範囲６のフィンピッチよりも大きくなるように熱交換器１を形成している。
【００２６】
このとき、筐体３４の側面部に形成された吸込口３４ａと対向して熱交換器１が設けられ、筐体３４の上面部に形成された吹出口３４ｂに対向してプロペラファン９が設けられた本実施の形態１に係る室外機１０１においては、３段目熱交換器４の圧縮機カバー隣接範囲５と圧縮機カバー７との距離が後述するような距離以下となるときに、圧縮機カバー隣接範囲５のフィンピッチを圧縮機非隣接範囲６のフィンピッチよりも大きくなるように熱交換器１を形成すると効果的である。
【００２７】
図３は、本発明の実施の形態１に係る室外機における圧縮機カバー隣接範囲を説明するための説明図である。この図３は、プロペラファン９の側から３段目熱交換器４及び圧縮機カバー７を示した平面断面図となっている。
図３に示すように、プロペラファン９の直径をＤ、圧縮機カバー隣接範囲５と圧縮機カバー７との距離をＬとすると、３段目熱交換器４の各部における風量は図４に示すようになる。
【００２８】
図４は、本発明の実施の形態１に係る室外機における「圧縮機カバー隣接範囲５の風量Ｑ」と「圧縮機カバー隣接範囲５と圧縮機カバー７の距離Ｌと、プロペラファン９の直径Ｄと、の比率Ｌ／Ｄ」との相関を示す特性図である。なお、プロペラファン９の回転数Ｎは一定である。
図４に示すように、Ｌ／Ｄが０．１５以下のとき、圧縮機カバー隣接範囲５の通風抵抗が大きく、圧縮機カバー隣接範囲５風量Ｑが小さいことがわかる。したがって、筐体３４の側面部に形成された吸込口３４ａと対向して熱交換器１が設けられ、筐体３４の上面部に形成された吹出口３４ｂに対向してプロペラファン９が設けられた本実施の形態１に係る室外機１０１においては、Ｌ／Ｄが０．１５以下のとき、圧縮機カバー隣接範囲５のフィンピッチを圧縮機非隣接範囲６のフィンピッチよりも大きくなるように熱交換器１を形成すると効果的である。
【００２９】
また、圧縮機カバー隣接範囲５のフィンピッチを圧縮機非隣接範囲６のフィンピッチよりも大きくなるように熱交換器１を形成する際、圧縮機カバー隣接範囲５のフィンピッチを例えば次のように設定している。
【００３０】
図５は、本発明の実施の形態１に係る室外機における圧縮機カバー隣接範囲のフィンピッチと成績係数との相関を示す特性図である。この図５は、縦軸に室外機１０１を用いた空気調和機の成績係数（ＣＯＰ）を示している。また、この図５の横軸は、圧縮機カバー隣接範囲５のフィンピッチｆｐ２と圧縮機非隣接範囲６のフィンピッチｆｐ１との比率であるｋ（＝ｆｐ２／ｆｐ１）を示している。
図５からわかるように、ｋ（＝ｆｐ２／ｆｐ１）＝１のとき、つまり、圧縮機カバー隣接範囲５のフィンピッチｆｐ２が圧縮機非隣接範囲６のフィンピッチｆｐ１と同じになっているとき、室外機１０１を用いた空気調和機の成績係数（ＣＯＰ）は最大値に近い状態となっている。また、ｋ＝１近傍（フィンピッチｆｐ２がフィンピッチｆｐ１に近い値となっている領域）は、フィンピッチｆｐ２を変更しても成績係数（ＣＯＰ）の変化が小さい領域となっている。また、ｋ（＝ｆｐ２／ｆｐ１）が大きくなるにつれて、つまり、圧縮機カバー隣接範囲５のフィンピッチｆｐ２が圧縮機非隣接範囲６のフィンピッチｆｐ１に対して大きくなるにつれて、室外機１０１を用いた空気調和機の成績係数（ＣＯＰ）は低下していく。このため、本実施の形態１では、圧縮機カバー隣接範囲５のフィンピッチｆｐ２を大きくしすぎることによって室外機１０１を用いた空気調和機の成績係数（ＣＯＰ）が過度に低下することを防止するため、例えば室外機１０１を用いた空気調和機の成績係数（ＣＯＰ）がｋ（＝ｆｐ２／ｆｐ１）＝１のときの９５％以上（図５中において１＜ｋ≦ｂ）となるように、室外機１０１を用いた空気調和機の成績係数（ＣＯＰ）を設定している。
【００３１】
＜熱交換器１の詳細＞
続いて、熱交換器１の詳細について説明する。
図６は、本発明の実施の形態１に係る室外機の熱交換器の部品形状及び製造方法を説明するための説明図である。
【００３２】
まず、図６を用いて、熱交換器１の詳細構成について説明する。
熱交換器１は、所定のフィンピッチを介して積層された複数のフィン１２と、フィン１２の長手方向に沿って所定の間隔を介して配置され、フィン１２の積層方向に沿ってフィン１２を貫通する複数の伝熱管１０と、を備えたフィンチューブ式熱交換器である。
【００３３】
伝熱管１０は、フィン１２間を流れる空気と熱交換する冷媒が流れるものである。伝熱管１０は、断面が扁平形状（例えば長丸形状）となっており、その内部は隔壁によって複数の流路（穴）に分割されている。各伝熱管１０は、断面形状の長軸方向に沿って、後述するフィン１２の切り欠き１３に挿入されている。
【００３４】
フィン１２は、例えば略直方体の薄板である。このフィン１２の長手方向側の端部には、所定の間隔を介して複数の切り欠き１３が形成されている。これら切り欠き１３は、上述のように伝熱管１０が挿入される箇所であり、伝熱管１０の断面形状に対応した形状となっている。本実施の形態１では、切り欠き１３はＵ字溝形状に形成されており、端部の開口幅は伝熱管１０の幅（換言すると断面の短軸方向の長さ）と略同等となっている。また、これら切り欠き１３の縁には、フィン１２と伝熱管１０との接触面積を増加させる目的や、フィン１２と伝熱管１０との固着強度を確保する目的等により、フィン１２の板面と略垂直にカラー１４が形成されている。なお、カラー１４の高さ（フィン１２の板面から突出したカラー１４の突出量）は、少なくとも、熱交換器１の圧縮機非隣接範囲６のフィンピッチよりも大きく形成された圧縮機カバー隣接範囲５のフィンピッチよりも低くなっている。また、各フィン１２の表面には、フィン１２間を流れる空気の流通方向に向かって（換言すると、フィン１２の短手方向に）開口した複数の切り起こしスリット（図示せず）が形成されている。切り起こしスリットを形成することにより、フィン１２の表面の温度境界層を分断・更新でき、フィン１２間を流れる空気とフィン１２との間の熱交換効率を向上させることができる。
【００３５】
なお、断面が扁平形状で内部が複数の流路に分割された伝熱管とフィンとを組み合わせた熱交換器は、断面円形状の伝熱管とフィンとを組み合わせた従来の熱交換器と比較して、同等以上の容積対性能比を得られることが多くの文献で示されている。
【００３６】
次に、熱交換器１の製造方法について説明する。
熱交換器１のフィン１２は、フープ状にリールに巻かれたアルミ薄板等の薄板（板状部材）から切り出して製作される。具体的には、まず、薄板の端部近傍に、薄板の送り方向に沿って複数のパイロット穴１５を形成する。そして、これらパイロット穴１５を用いて（例えば、パイロット穴１５にピン等を挿入することにより）、高速プレス機の薄板送り機構は、高速プレス機内において薄板を間欠送りする（図６に薄板送り動作として示す矢印１６参照）。また、高速プレス機には順送金型が設けられており、薄板が高速プレス機内を間欠送りされていく際に、高速プレス機は、切り欠き１３となる開口穴、カラー１４、切り起こしスリット等を順次プレス成形していく。これにより、高速プレス機から繰り出された薄板上には、フィン１２が連なったフィン連１７が形成されることとなる。
【００３７】
上記フィン連１７は、高速プレス機の下流側に設けられた切断装置によって１枚ずつのフィン１２に切り離される（図６に切断動作として示す矢印１８参照）。そして、このように切り離されたフィン１２は、次のように伝熱管１０に取り付けられる。
【００３８】
詳しくは、本実施の形態１に係る熱交換器１の製造ラインは、テーブルを有している。このテーブルの上面部に、複数の伝熱管１０を所定の間隔を介して配置する。また、このテーブルには、例えばサーボモータ、ボールネジ及び直動ガイド等からなる搬送機構が設けられており、伝熱管１０の管軸方向（換言すると、フィン１２の積層方向）に沿ってピッチ送り動作により位置決めされる（図６にピッチ送り動作として示す矢印２１参照）。一方、テーブルの上方には、例えばカム及びサーボ等からなる挿入装置が設けられている。この挿入装置は、切断装置で切断されたフィン１２を把持する把持機構、及び切り欠き１３の開口側端部が下を向くように把持したフィン１２を回転させる回転機構を備えている。
【００３９】
このため、挿入装置によって切断装置で切断されたフィン１２を把持し、切り欠き１３の開口側端部が下を向くように把持したフィン１２を回転させ、フィン１２をテーブル上に下降させていくことにより、フィン１２の切り欠き１３にその開口部側から伝熱管１０の上部が挿入され始め、切り欠き１３の奥部が伝熱管１０の上部に接触するまでフィン１２が押し込まれ、テーブル上に配置された複数の伝熱管１０にフィン１２が取り付けられる（図６にフィン１２の移動・回転動作として示す矢印１９参照）。そして、挿入装置がこのフィン１２の取付工程を繰り返す間に、つまり、フィン１２が伝熱管１０に取り付けられてから次のフィン１２が伝熱管１０に取り付けられるまでの間に、テーブルが伝熱管１０の管軸方向に所定ピッチだけ移動することで、既に伝熱管１０に取り付けられたフィンの最後尾と所望のフィンピッチとなるように、伝熱管１０にフィン１２を取り付ける。
【００４０】
上述のフィン１２の切断動作１８、移動・回転動作１９と、伝熱管１０のピッチ送り動作２１とは、挿入装置とテーブルの搬送機構とを同期させながら、高速プレス機のフープ送り動作１６に追随するように逐次行われる。なお、高速プレス機と挿入装置の同期のずれについては、高速プレス機上流側となる薄板の供給経路において薄板をたるませることにより、材料のバッファを設け、たるみ量を検知しながら、プレスストロークを増減させることにより吸収する。
【００４１】
また、上述のピッチ送り動作２１のピッチ移動量は、搬送機構の制御コントローラで設定する。詳しくは、熱交換器１のうちの風量の小さい範囲となる圧縮機カバー隣接範囲５を構成することになるフィン群２２については、大きいピッチ移動量を設定する。熱交換器１のうちの風量の大きい範囲となる圧縮機非隣接範囲６を構成することになるフィン群２３については、小さい移動量をピッチ移動量を設定する。このようなピッチ移動量でフィン１２を所要枚数分積層することにより、フィンピッチを大きくして積層されたフィン群２２とフィンピッチを小さくして積層されたフィン群２３からなるフィン群組立部２４（図６では組立途中）が完成する。
【００４２】
完成されたフィン群組立部２４と伝熱管１０とは、伝熱管１０にあらかじめコーティングされたろう材を活用して炉中でのろう付けを行うことにより、固着される。あるいは、完成されたフィン群組立部２４と伝熱管１０とは、伝熱管１０とフィン１２のカラー１４との隙間に塗布された接着剤を活用して接着を行うことにより、固着される。この後、フィン群組立部２４は、２枚重ねた状態で配管部品の接続、および、２回のＬ字曲げによるコの字成形が行われ、熱交換器１（１段目熱交換器２、２段目熱交換器３、３段目熱交換器４）の組立が完了する。
【００４３】
以上、本実施の形態１においては、伝熱管１０を所定の間隔で配置し、これら伝熱管１０に１枚ずつフィン１２を取り付けて、圧縮機カバー隣接範囲５のフィンピッチが圧縮機非隣接範囲６のフィンピッチよりも大きく形成された熱交換器１（１段目熱交換器２、２段目熱交換器３、３段目熱交換器４）を製造している。このため、カラー基準で事前に積層されたフィン群の円形穴に円形状断面の伝熱管を挿入する従来の製造方法と異なり、本実施の形態１に係る熱交換器１の製造方法は、熱交換器１の一部の範囲のフィンピッチを変更する際、カラー高さを変えるための複雑な金型や大型プレス機を必要としない。また、本実施の形態１に係る熱交換器１の製造方法は、熱交換器１の一部の範囲のフィンピッチを変更する際、搬送機構のピッチ移動量のコントローラ指令値を変更するだけで、当該フィンピッチをさまざまな大きさに直ちに変更することが可能となる。
【００４４】
また、本実施の形態１に係る熱交換器１の製造方法は、カラーをフィンピッチより低くし、カラー高さ基準でフィンを積層せずに熱交換器を製造する従来の製造方法（１枚ずつのフィンにおいて、フィンの円形穴に伝熱管を挿入し、当該フィンを伝熱管の管軸方向に沿って長ストローク移動させ、所望の位置に配置する製造方法）とも異なり、フィン１２を伝熱管１０の側面側から取り付けることができるので、フィン１２の切り欠き１３に伝熱管１０を挿入してからフィン１２を所望の位置に配置するまでのストロークを短くすることができる。したがって本実施の形態１に係る熱交換器１の製造方法は、例えば数百ＳＰＭ（毎分ストローク数）の高速プレス機の打抜き速度に追随できる高速動作にて、さまざまなフィンピッチでフィンを伝熱管１０の所望の位置に取り付けることができる。
【００４５】
また、本実施の形態１のように構成された室外機１０１が備える熱交換器１は、通風抵抗が大きく風量の小さい範囲となる圧縮機カバー隣接範囲５のフィンピッチが、圧縮機カバー隣接範囲５よりも風量が大きくなる圧縮機非隣接範囲６のフィンピッチよりも大きく形成されている。つまり、この熱交換器１は、風量が小さくフィンピッチを大きくしても成績係数（ＣＯＰ）の変化が少ない範囲においてフィンピッチが大きく形成されている。このため、この熱交換器１は、当該熱交換器１とフィンの合計枚数が同一で全フィン間のフィンピッチを一律とした熱交換器と比べ、価格対性能比の観点で、熱交換効率を改善できる。したがって、この熱交換器１を備えた室外機１０１を、従来よりも省エネ・低コスト化することができる。また、従来どおりの性能で問題ない室外機に本実施の形態１に係る室外機１０１の構成を採用する場合には、上記の性能向上により余剰となった性能分だけフィン１２の枚数を低減できるので、同等の性能を確保しながら、室外機の小型化や低価格化が可能となる。また、フィンの挿入枚数の低減により、製造時間を短縮することもできる。
【００４６】
なお、本実施の形態１では、３段目熱交換器４でのみ一部の範囲（圧縮機カバー隣接範囲５）のフィンピッチを拡大させたが、圧縮機カバー７が高さ方向に大きい場合、３段目熱交換器４よりも上方に配置された２段目熱交換器３及び１段目熱交換器２においても一部の範囲のフィンピッチを拡大させてもよい。また、本実施の形態１では、熱交換器１を３段の熱交換器部（１段目熱交換器２、２段目熱交換器３、３段目熱交換器４）に分割したが、熱交換器１を２段の熱交換器部に分割してもよいし、４段以上の熱交換器部に分割してもよい。このような構成にしても上記の効果が得られることは言うまでもない。
【００４７】
また、本実施の形態１では、通風抵抗を増加させる収納物（換言すると、熱交換器１の近傍に配置された収納物）として圧縮機カバー７を例に説明したが、これはあくまでも一例である。圧縮機カバー７以外の収納物が熱交換器１の近傍に配置されている場合、熱交換器１における当該収納物近傍の範囲のフィンピッチを他の範囲のフィンピッチよりも大きく形成することにより、上記の効果を得ることができる。
【００４８】
実施の形態２．
実施の形態１では、熱交換器１の一部の範囲のフィンピッチを変更する一例として、圧縮機カバー７と近接する圧縮機カバー隣接範囲５のフィンピッチを変更する例を説明した。しかしながら、フィンピッチを変更する範囲は圧縮機カバー隣接範囲５に限定されるものではない。圧縮機カバー隣接範囲５と共に、あるいは圧縮機カバー隣接範囲５とは別に、熱交換器１の次のような範囲のフィンピッチを変更してもよい。なお、本実施の形態２で特に記述しない構成については実施の形態１と同様とし、同一の機能や構成については同一の符号を用いて述べることとする。
【００４９】
図７は、本発明の実施の形態２に係る室外機における熱交換器及び制御盤８をプロペラファンの側から示した平面断面図である。
本実施の形態２に係る室外機１０１は、実施の形態１と同様に、筐体３４の一側面部に制御盤８が設けられている。この制御盤８は室外機１０１を運転させることにより発熱するため、室外機１０１の運転中に制御盤８を冷却する必要がある。このため、本実施の形態２に係る室外機１０１は、プロペラファン９の作用により発生する空気の流れを利用して制御盤８を冷却する構成としている。
【００５０】
また、本実施の形態２では、制御盤８の冷却効果を向上させるため、制御盤８側に配置された熱交換器１の端部のフィンピッチを、熱交換器１の他の範囲のフィンピッチよりも大きく形成している。なお、本実施の形態２においても、実施の形態１と同様にコの字形状に形成された熱交換器１を用いている。このため、コの字形状に形成された熱交換器１の両端部２５のフィンピッチを、熱交換器１の他の範囲のフィンピッチよりも大きく形成している。
以下、熱交換器１の両端部２５のフィンピッチを熱交換器１の他の範囲のフィンピッチよりも大きくすることによって制御盤８の冷却効果が向上する理由について説明する。
【００５１】
図８は、本発明の実施の形態２に係る室外機１０１の内部構造を示す斜視図である。この図８に示す白塗りの矢印は、室外機１０１の内部の空気の流れを示している。なお、図８では、当該空気の流れの理解を容易とするため、熱交換器１及びプロペラファン９以外の収納物の図示を省略している。
空気は壁面に沿って流れる性質がある。このため、図８に示すように、筐体３４の側面部に形成された吸込口３４ａと対向して熱交換器１が設けられ、筐体３４の上面部に形成された吹出口３４ｂに対向してプロペラファン９が設けられた本実施の形態２に係る室外機１０１においては、熱交換器１を通過した空気は、パネル３７近傍にある熱交換器１の両端部２５に集まり、熱交換器１の両端部２５に沿って上方へ流れ、筐体３４上部のプロペラファン９を通って、吹出口３４ｂから排気される。
【００５２】
このとき、熱交換器１の両端部２５のフィンピッチを熱交換器１の他の範囲のフィンピッチよりも大きくすることによって両端部２５の通風抵抗を小さくすることにより、熱交換器１の両端部２５から流入する風量を大きくでき、熱交換器１の両端部２５に沿って流れる風量を大きくできる。このため、熱交換器１の両端部２５のフィンピッチを熱交換器１の他の範囲のフィンピッチよりも大きくすることにより、制御盤８の冷却効果を向上させることができる。
【００５３】
さらに、熱交換器１の両端部２５のフィンピッチを熱交換器１の他の範囲のフィンピッチよりも大きくすることにより、両端部２５を通過する空気と熱交換器１の内部を流れる冷媒との熱交換量が小さくなる。このため、冷房運転時においては、熱交換器１の両端部２５から流入する空気の温度、つまり、熱交換器１の両端部２５に沿って流れる空気の温度を低下させることができる。このため、冷房運転時においては、当該空気の温度低下によっても、制御盤８の冷却効果を向上させることができる。
【００５４】
以上、本実施の形態２のように構成された室外機１０１においては、筐体３４の一側面部に制御盤８を設け、当該制御盤８側に配置された熱交換器１の端部のフィンピッチを、熱交換器１の他の範囲のフィンピッチよりも大きく形成している。このため、制御盤８の冷却風量を増加させることができ、制御盤８の冷却効果を向上させることができる。
【００５５】
実施の形態３．
熱交換器１の一部の範囲のフィンピッチを変更する例は実施の形態１及び実施の形態２で示したものに限らず、実施の形態１及び実施の形態２のうちの少なくとも一方の構成と共に、あるいは実施の形態１及び実施の形態２の構成とは別に、熱交換器１の次のような範囲のフィンピッチを変更してもよい。なお、本実施の形態３で特に記述しない構成については実施の形態１又は実施の形態２と同様とし、同一の機能や構成については同一の符号を用いて述べることとする。
【００５６】
図９は、本発明の実施の形態３に係る室外機における熱交換器をプロペラファンの側から示した平面断面図である。この図９に示す白塗りの矢印は、室外機１０１の内部の空気の流れを示している。
本実施の形態３に係る熱交換器１は、熱交換器１を通る空気の流れ方向に沿って２列の熱交換器部に分割されている（以下、当該空気の流れ方向の上流側に配置された熱交換器部を外側熱交換器１ｂと称し、下流側に配置された熱交換器部を内側熱交換器１ａと称する）。また、熱交換器１の一部である内側熱交換器１ａのフィンピッチを、外側熱交換器１ｂのフィンピッチよりも大きく形成している。
【００５７】
図９に示すように、熱交換器１を通過しプロペラファン９により排気される空気は、まず外側熱交換器１ｂを通過し、次に内側熱交換器１ａを通過する。このため、熱交換器１の内部を流れる冷媒の温度が一定だと仮定すると、外側熱交換器１ｂで熱交換した空気の温度は変化し、外側熱交換器１ｂ流出した空気は、熱交換器１内部を流れる冷媒との温度差が小さくなる。つまり、内側熱交換器１ａを通過する空気は、熱交換器１（つまり内側熱交換器１ａ）を流れる冷媒との温度差が小さいため、熱交換量が小さくなる。
このため、本実施の形態３では、外側熱交換器１ｂに対して空気との熱交換量が少ない内側熱交換器１ａのフィンピッチを大きく形成している。
【００５８】
以上、本実施の形態３のように構成された室外機１０１においては、熱交換量が小さく熱交換性能への寄与度が小さい内側熱交換器１ａのフィン挿入枚数を低減することにより、従来と同等の性能を維持しながら、室外機１０１の小型・低価格化が可能となる。
【００５９】
なお、本実施の形態３では、熱交換器１を通る空気の流れ方向に沿って熱交換器１を２列の熱交換器部に分割したが、熱交換器１を通る空気の流れ方向に沿って熱交換器１を３列以上の熱交換器部に分割しても勿論よい。このとき、これら熱交換器部のうちの少なくとも２つにおいて、下流側に配置された熱交換器部のフィンピッチが上流側に配置された熱交換器部のフィンピッチよりも大きく形成されていれば、本実施の形態３で示した効果を得ることができる。
【００６０】
ここで、本実施の形態３では、外側熱交換器１ｂに対して内側熱交換器１ａのフィンピッチを大きく形成した熱交換器１を備えた室外機１０１について説明したが、内側熱交換器１ａに対して外側熱交換器１ｂのフィンピッチを大きく形成した熱交換器１を室外機１０１に搭載してもよい。このような構成は、着霜が生じ易い低外気環境下に室外機１０１を設置する場合に、特に有効な手段である。
【００６１】
外側熱交換器と内側熱交換器のフィンピッチが同じになっている従来の室外機を、熱交換器に着霜が発生するような低外気環境下に設置した場合、内側熱交換器に比べて外側熱交換器の着霜量が多くなり、外側熱交換器に偏った着霜分布となる。このため、外側熱交換器において早期にフィン間の風路が閉塞されてしまい、当該室外機を備えた空気調和機の暖房性能が低下するという課題があった。空気は、まず外側熱交換器を通過し、次に内側熱交換器を通過するため、空気の絶対湿度量が多い外側熱交換器の着霜量が多くなるためである。
【００６２】
このため、本実施の形態３の変更例では、内側熱交換器１ａに対して着霜量が多い外側熱交換器１ｂのフィンピッチを大きく形成している。このように熱交換器１を構成することにより、内側熱交換器１ａと外側熱交換器１ｂの着霜分布が均一化して、フィン間風路の閉塞を遅延させることができるので、室外機１０１を備えた空気調和機の暖房性能を向上させることが可能となる。
【００６３】
なお、本実施の形態３の変更例では、熱交換器１を通る空気の流れ方向に沿って熱交換器１を２列の熱交換器部に分割したが、熱交換器１を通る空気の流れ方向に沿って熱交換器１を３列以上の熱交換器部に分割しても勿論よい。このとき、これら熱交換器部のうちの少なくとも２つにおいて、上流側に配置された熱交換器部のフィンピッチが下流側に配置された熱交換器部のフィンピッチよりも大きく形成されていればよい。このように構成することにより、熱交換器１への着霜分布が均一化して、フィン間風路の閉塞を遅延させることができるので、室外機１０１を備えた空気調和機の暖房性能を向上させることが可能となる。
【００６４】
実施の形態４．
また、熱交換器１の一部の範囲のフィンピッチを変更する例は実施の形態１〜実施の形態３で示したものに限らず、実施の形態１〜実施の形態３のうちの少なくとも一方の構成と共に、あるいは実施の形態１〜実施の形態３の構成とは別に、熱交換器１の次のような範囲のフィンピッチを変更してもよい。なお、本実施の形態４で特に記述しない構成については実施の形態１〜実施の形態３と同様とし、同一の機能や構成については同一の符号を用いて述べることとする。
【００６５】
図１０は、本発明の実施の形態４に係る室外機における熱交換器をプロペラファンの側から示した平面断面図である。
本実施の形態４に係る熱交換器１は、平面視コの字形状に形成されている。つまり、熱交換器１は、２カ所の曲げ部２９と、３カ所の直線部３０（平面視において直線状に見える熱交換器部分）とで構成されている。そして、本実施の形態４に係る熱交換器１は、曲げ部２９のフィンピッチと直線部３０のフィンピッチとを異ならせている。
【００６６】
熱交換器１の曲げ工程では、曲げ部２９のフィン１２が倒れたり座屈することがある。このような場合、例えば熱交換器１の曲げ部２９のフィンピッチを直線部３０のフィンピッチより大きくすることにより、曲げ成形時にフィン１２の端部が倒れたりフィン１２に座屈が発生した場合でも、曲げ部２９の通風量が確保できる。また例えば、熱交換器１の曲げ部２９のフィンピッチを直線部３０のフィンピッチより小さくすることにより、つまり曲げ部２９のフィン積層枚数を多くすることにより、曲げ成形時に１枚当たりのフィン１２にかかる応力を小さくでき、フィン１２の倒れや座屈を抑制することができ、曲げ部２９の通風量を確保できる。
【００６７】
以上、本実施の形態４のように熱交換器１を構成することにより、曲げ部２９の通風量を確保することができるので、曲げ部２９で有効に熱交換を行うことができる。このため、熱交換器１の熱交換効率を改善でき、省エネで小型な室外機１０１を得ることができる。
【００６８】
なお、熱交換器１の曲げ部２９のフィンピッチを直線部３０のフィンピッチより大きくすることにより、次のような効果を得ることもできる。
【００６９】
熱交換器１を平面視コの字形状に折り曲げ形成する場合、曲げ部２９に配置されたフィン１２同士の間では、曲げ部２９の内側のフィンピッチが外側のフィンピッチに比べて小さくなる。また、曲げ部２９の外周側にはピラー３６が設置される（図１参照）。その結果、曲げ部２９の通風量が直線部３０に比べて少なくなり、曲げ部２９と直線部３０とで温度効率の分布が発生する（曲げ部２９と直線部３０とで温度効率が異なる）。特に、フィンピッチを一様に形成した熱交換器を平面視コの字形状に折り曲げ形成した従来の熱交換器の場合、曲げ部と直線部の温度効率の差は、熱交換器１の曲げ部２９のフィンピッチを直線部３０のフィンピッチより大きくした本実施の形態４に係る熱交換器１よりも大きくなる。
【００７０】
ここで、図１１を用いて、温度効率εと熱交換器性能ＡＫについて説明する。
図１１は、温度効率εと熱交換器性能ＡＫとの関係を示す図である。この図１１には、本実施の形態４に係る熱交換器１（熱交換器１の曲げ部２９のフィンピッチを直線部３０のフィンピッチより大きくした熱交換器１）の温度効率εを黒塗りの丸で示している。また、従来の熱交換器（フィンピッチを一様に形成した熱交換器を平面視コの字形状に折り曲げ形成した熱交換器）の温度効率εを白塗りの丸で示している。なお、本実施の形態４に係る熱交換器１と従来の熱交換器は、フィンの合計枚数を同じにしている。
【００７１】
温度効率ε（＝熱交換器出口空気温度−熱交換器入口空気温度）／（冷媒飽和温度−熱交換器入口空気温度）は、通風量が増加すると（風速が大きくなると）低下する特徴がある。このため、本実施の形態４に係る熱交換器１及び従来の熱交換器共に、曲げ部の温度効率（ε２，ε２’）が直線部の温度効率（ε１，ε１’）よりも高くなっている。また、直線部の温度効率に着目すると、同枚数のフィンで本実施の形態４に係る熱交換器１と従来の熱交換器を製作した場合、曲げ部２９のフィンピッチを直線部３０のフィンピッチより大きくした本実施の形態４に係る熱交換器１は、その温度効率ε１’が従来の熱交換器の直線部の温度効率ε１よりも大きくなっている。また、曲げ部の温度効率に着目すると、同枚数のフィンで本実施の形態４に係る熱交換器１と従来の熱交換器を製作した場合、曲げ部２９のフィンピッチを直線部３０のフィンピッチより大きくした本実施の形態４に係る熱交換器１は、その温度効率ε２が従来の熱交換器の直線部の温度効率ε２’よりも小さくなっている。
【００７２】
ここで、図１１に示すように、熱交換器性能ＡＫ（伝熱性能）と温度効率εは、熱交換器性能ＡＫが大きくなるにつれて、温度効率εが１に漸近するという特徴がある。このため、通風量が多い直線部においては、本実施の形態４に係る熱交換器１は、従来の熱交換器よりもフィンピッチが小さくなることにより、ε１’−ε１分だけ温度効率が改善する。また、通風量が少ない曲げ部においては、本実施の形態４に係る熱交換器１は、従来の熱交換器よりもフィンピッチが大きくなることにより、ε２’−ε２分だけ温度効率が低下する。
【００７３】
しかしながら、直線部の温度効率（ε１，ε１’）は曲げ部の温度効率（ε２，ε２’）に比べて小さく、温度効率εは熱交換器性能ＡＫが大きくなるにつれて１に漸近するという上述の特徴を有している。このため、本実施の形態４のように熱交換器を構成することによる温度効率の改善分（ε１’−ε１）は大きくなり、本実施の形態４のように熱交換器を構成することによる温度効率の低下分（ε２’−ε２）は非常に小さくなる。
つまり、（ε１’−ε１）＞（ε２’−ε２）となる。
【００７４】
したがって、本実施の形態４のように、温度効率εが高い曲げ部２９のフィンピッチを大きくし、温度効率εが低い直線部３０のフィンピッチを小さくすることで、熱交換器１の平均的な温度効率、すなわち、熱交換器１全体の熱交換効率が大きく向上する。
【００７５】
実施の形態５．
また、熱交換器１の一部の範囲のフィンピッチを変更する例は実施の形態１〜実施の形態４で示したものに限らず、実施の形態１〜実施の形態４のうちの少なくとも一方の構成と共に、あるいは実施の形態１〜実施の形態４の構成とは別に、熱交換器１の次のような範囲のフィンピッチを変更してもよい。なお、本実施の形態５で特に記述しない構成については実施の形態１〜実施の形態３と同様とし、同一の機能や構成については同一の符号を用いて述べることとする。
【００７６】
図１２は、本発明の実施の形態５に係る室外機の内部構造を示す正面図である。なお、図１２では、熱交換器１及びプロペラファン９以外の収納物の図示を省略している。
本実施の形態５に係る熱交換器１は、上下方向に、３段の熱交換器部（１段目熱交換器２、２段目熱交換器３、３段目熱交換器４）に分割されている。そして、３段目熱交換器４のフィンピッチ３３は２段目熱交換器３のフィンピッチ３２よりも大きく形成されており、２段目熱交換器３のフィンピッチ３２は１段目熱交換器２のフィンピッチ３１以上に形成されている。
【００７７】
筐体３４の側面部に形成された吸込口３４ａと対向して熱交換器１が設けられ、筐体３４の上面部に形成された吹出口３４ｂに対向してプロペラファン９が設けられた本実施の形態１に係る室外機１０１においては、熱交換器１の各部を通る風量は、プロペラファン９からの距離により異なる。詳しくは、３段目熱交換器４を通る風量が１段目熱交換器２を通る風量よりも小さくなる。このため、本実施の形態５では、１段目熱交換器２に対して空気との熱交換量が少ない３段目熱交換器４のフィンピッチを大きく形成している。
【００７８】
以上のように、風量が小さく熱交換性能への寄与度が小さい３段目熱交換器４のフィン挿入枚数を低減することにより、従来と同等の性能を維持しながら、空気調和機の小型・低価格化が可能となる。
【００７９】
なお、本実施の形態５では、熱交換器１を上限方向に３段の熱交換器部に分割したが、熱交換器１を２段の熱交換器部に分割してもよいし、熱交換器１を４段以上の熱交換器部に分割しても勿論よい。このとき、これら熱交換器部のうちの少なくとも２つにおいて、下方に配置された熱交換器部のフィンピッチが上方に配置された熱交換器部のフィンピッチよりも小さく形成されていれば、本実施の形態５で示した効果を得ることができる。
【００８０】
ところで上記の実施の形態１〜実施の形態５では、筐体３４の上面部に吹出口３４ｂが形成された室外機１０１を例に本発明を説明したが、筐体の側面部に吹出口が形成された室外機に本発明を実施しても、実施の形態１〜実施の形態５で示した効果を得ることができる。
【００８１】
また、上記の実施の形態１〜実施の形態５では、平面視コの字形状の熱交換器１を例に本発明を説明したが、熱交換器の形状は任意であり、熱交換器の形状に関わらずに実施の形態１〜実施の形態５で示した効果を得ることができる。
【００８２】
また、上記の実施の形態１〜実施の形態５では、１つの熱交換器１（複数の熱交換器部で構成されたもの）を備えた室外機１０１を例に本発明を説明したが、熱交換器１を複数備えた室外機においても実施の形態１〜実施の形態５で示した効果を得ることができる。
【００８３】
また、上記の実施の形態１〜実施の形態５では、プロペラファン９を備えた室外機１０１を例に本発明を説明したが、プロペラファン９以外のファンを備えた室外機であっても実施の形態１〜実施の形態５で示した効果を得ることができる。
【００８４】
また、上記の実施の形態１〜実施の形態５では、室外機１０１を例に本発明を説明したが、室内機に本発明を実施することも勿論可能である。
【符号の説明】
【００８５】
１  熱交換器、１ａ  内側熱交換器、１ｂ  外側熱交換器、２  １段目熱交換器、３  ２段目熱交換器、４  ３段目熱交換器、５  圧縮機カバー隣接範囲、６  圧縮機非隣接範囲、７  圧縮機カバー、８  制御盤、９  プロペラファン、１０  伝熱管、１２  フィン、１３  切り欠き、１４  カラー、１５  パイロット穴、１６  薄板送り動作、１７  フィン連、１８  切断動作、１９  移動・回転動作、２１  ピッチ送り動作、２２  フィン郡、２３  フィン郡、２４  フィン群組立部、２５  端部、２９  曲げ部、３０  直線部、３１  １段目熱交換器２のフィンピッチ、３２  ２段目熱交換器３のフィンピッチ、３３  ３段目熱交換器４のフィンピッチ、３４  筐体、３４ａ  吸込口、３４ｂ  吹出口、３５ａ  上面部、３５ｂ  底面部、３６  ピラー、３７  パネル、３８  ファンガード、１０１  室外機。
【図１】
2014024221.tif 000003
【図２】
2014024221.tif 000004
【図３】
2014024221.tif 000005
【図４】
2014024221.tif 000006
【図５】
2014024221.tif 000007
【図６】
2014024221.tif 000008
【図７】
2014024221.tif 000009
【図８】
2014024221.tif 000010
【図９】
2014024221.tif 000011
【図１０】
2014024221.tif 000012
【図１１】
2014024221.tif 000013
【図１２】
2014024221.tif 000014
【手続補正書】
【提出日】平成26年10月30日(2014.10.30)
【手続補正１】
【補正対象書類名】明細書
【補正対象項目名】００１２
【補正方法】変更
【補正の内容】
【００１２】
本発明に係る熱交換器は、所定のフィンピッチを介して積層された複数のフィンと、前記フィンの長手方向に沿って所定の間隔を介して配置され、前記フィンの積層方向に沿って前記フィンを貫通する複数の伝熱管と、を備え、複数の前記伝熱管は、断面が扁平形状の伝熱管であり、複数の前記フィンは、長手方向側の端部に、前記伝熱管の断面形状に対応した形状の複数の切り欠きが形成され、複数の前記切り欠きの縁にはカラーが形成され、これら前記切り欠きに前記伝熱管が挿入され、複数の前記フィンの一部の間のフィンピッチは、他の前記フィンの間のフィンピッチよりも大きくなっており、少なくとも前記の大きいフィンピッチは、前記フィンの板面からの前記カラーの突出量である前記カラーの高さよりも大きくなっているものである。
【手続補正２】
【補正対象書類名】特許請求の範囲
【補正対象項目名】全文
【補正方法】変更
【補正の内容】
【特許請求の範囲】
【請求項１】
所定のフィンピッチを介して積層された複数のフィンと、
前記フィンの長手方向に沿って所定の間隔を介して配置され、前記フィンの積層方向に沿って前記フィンを貫通する複数の伝熱管と、
を備え、
複数の前記伝熱管は、断面が扁平形状の伝熱管であり、
複数の前記フィンは、長手方向側の端部に、前記伝熱管の断面形状に対応した形状の複数の切り欠きが形成され、
複数の前記切り欠きの縁にはカラーが形成され、
これら前記切り欠きに前記伝熱管が挿入され、
複数の前記フィンの一部の間のフィンピッチは、他の前記フィンの間のフィンピッチよりも大きくなっており、
少なくとも前記の大きいフィンピッチは、前記フィンの板面からの前記カラーの突出量である前記カラーの高さよりも大きくなっていることを特徴とする熱交換器。
【請求項２】
吸込口及び吹出口が形成された筐体と、
該筐体に設けられた請求項１に記載の熱交換器と、
前記筐体に設けられたファンと、を備えたことを特徴とする空気調和機。
【請求項３】
前記筐体には、前記熱交換器と前記ファンとの間の風路に収納物が収容され、
前記熱交換器は、
前記収納物との距離が所定の距離以内となる範囲のフィンピッチが、前記の大きいフィンピッチとなっていることを特徴とする請求項２に記載の空気調和機。
【請求項４】
前記筐体は、少なくとも一側面部に前記吸込口が形成されて、上面部に前記吹出口が形成され、
前記熱交換器は、該吸込口に対向して設けられ、
前記ファンは、プロペラファンであり、前記吹出口に対向して設けられ、
該プロペラファンの直径をＤ、前記熱交換器と前記収納物との間の距離をＬとした場合、
前記熱交換器は、
Ｌ／Ｄ≦０．１５の関係となる範囲のフィンピッチが、前記の大きいフィンピッチとなっていることを特徴とする請求項３に記載の空気調和機。
【請求項５】
前記の大きいフィンピッチをｆｐ２、他の前記フィンの間のフィンピッチをｆｐ１とした場合、
前記熱交換器は、当該熱交換器におけるフィンピッチがｆｐ２となっている範囲の前記フィンのフィンピッチをｆｐ１に形成した熱交換器に対し、成績係数が９５％以上となるようにｆｐ２が設定されていることを特徴とする請求項３又は請求項４に記載の空気調和機。
【請求項６】
前記収納物は制御盤であり、該制御盤は前記筐体の一側面部に設けられ、
前記吸込口は、前記制御盤が配置された前記筐体の側面部と隣接する側面部に少なくとも形成され、
前記熱交換器は、該吸込口に対向して設けられ、
前記熱交換器における前記制御盤側の端部のフィンピッチが、前記の大きいフィンピッチとなっていることを特徴とする請求項３〜請求項５のいずれか一項に記載の空気調和機。
【請求項７】
前記熱交換器は、該熱交換器を通る空気の流れ方向に沿って、複数の熱交換器部に分割されており、
これら分割された複数の前記熱交換器部のうちの少なくとも１つは、下流側に配置された前記熱交換器部のフィンピッチが上流側に配置された前記熱交換器部のフィンピッチよりも大きくなっていることを特徴とする請求項２に記載の空気調和機。
【請求項８】
前記熱交換器は、該熱交換器を通る空気の流れ方向に沿って、複数の熱交換器部に分割されており、
これら分割された複数の前記熱交換器部のうちの少なくとも１つは、上流側に配置された前記熱交換器部のフィンピッチが下流側に配置された前記熱交換器部のフィンピッチよりも大きくなっていることを特徴とする請求項２に記載の空気調和機。
【請求項９】
前記熱交換器には曲げ部が形成され、
前記曲げ部に配置された前記フィンの間のフィンピッチが、直線部に配置された前記フィンの間フィンピッチよりも大きくなっていることを特徴とする請求項２に記載の空気調和機。
【請求項１０】
前記熱交換器には曲げ部が形成され、
直線部に配置された前記フィンの間のフィンピッチが、前記曲げ部に配置された前記フィンの間フィンピッチよりも大きくなっていることを特徴とする請求項２に記載の空気調和機。
【請求項１１】
前記筐体は、少なくとも一側面部に前記吸込口が形成されて、上面部に前記吹出口が形成され、
前記ファンは、プロペラファンであり、前記吹出口に対向して設けられ、
前記熱交換器は、該吸込口に対向して設けられ、上下方向に、複数の熱交換器部に分割されており、
これら分割された複数の前記熱交換器部のうちの少なくとも１つは、下方に配置された前記熱交換器部のフィンピッチが上方に配置された前記熱交換器部のフィンピッチよりも大きくなっていることを特徴とする請求項２に記載の空気調和機。
【請求項１２】
前記フィンと前記伝熱管とは、ろう付け又は接着にて固着されていることを特徴とする請求項１に記載の熱交換器。
【手続補正書】
【提出日】平成27年8月25日(2015.8.25)
【手続補正２】
【補正対象書類名】明細書
【補正対象項目名】０００１
【補正方法】変更
【補正の内容】
【０００１】
本発明は、空気調和機に関するものである。
【手続補正３】
【補正対象書類名】明細書
【補正対象項目名】００１１
【補正方法】変更
【補正の内容】
【００１１】
本発明は、上記のような課題を解決するためになされたもので、フィンの金型費、プレス機費用及び組立費用を増大させることなく、一部の範囲のフィンピッチを変更することができる熱交換器を備えることにより、熱交換器性能に対するコストを低減させ、省エネ・低コストな空気調和機を得ることである。
【手続補正４】
【補正対象書類名】明細書
【補正対象項目名】００１２
【補正方法】変更
【補正の内容】
【００１２】
本発明に係る空気調和機は、吸込口及び吹出口が形成された筐体と、該筐体に設けられた熱交換器と、前記筐体に設けられたファンと、を備え、前記熱交換器は、所定のフィンピッチを介して積層された複数のフィンと、前記フィンの長手方向に沿って所定の間隔を介して配置され、前記フィンの積層方向に沿って前記フィンを貫通する複数の伝熱管と、を備え、複数の前記伝熱管は、断面が扁平形状の伝熱管であり、複数の前記フィンは、長手方向側の端部に、前記伝熱管の断面形状に対応した形状の複数の切り欠きが形成され、複数の前記切り欠きの縁にはカラーが形成され、これら前記切り欠きに前記伝熱管が挿入され、複数の前記フィンの一部の間のフィンピッチは、他の前記フィンの間のフィンピッチよりも大きくなっており、少なくとも前記の大きいフィンピッチは、前記フィンの板面からの前記カラーの突出量である前記カラーの高さよりも大きくなっており、前記筐体には、前記熱交換器と前記ファンとの間の風路に収納物が収容され、前記熱交換器は、前記収納物との距離が所定の距離以内となる範囲のフィンピッチが、前記の大きいフィンピッチとなっているものである。
【手続補正５】
【補正対象書類名】明細書
【補正対象項目名】００１３
【補正方法】変更
【補正の内容】
【００１３】
また、本発明に係る空気調和機は、吸込口及び吹出口が形成された筐体と、該筐体に設けられた熱交換器と、前記筐体に設けられたファンと、を備え、前記熱交換器は、所定のフィンピッチを介して積層された複数のフィンと、前記フィンの長手方向に沿って所定の間隔を介して配置され、前記フィンの積層方向に沿って前記フィンを貫通する複数の伝熱管と、を備え、複数の前記伝熱管は、断面が扁平形状の伝熱管であり、複数の前記フィンは、長手方向側の端部に、前記伝熱管の断面形状に対応した形状の複数の切り欠きが形成され、複数の前記切り欠きの縁にはカラーが形成され、これら前記切り欠きに前記伝熱管が挿入され、複数の前記フィンの一部の間のフィンピッチは、他の前記フィンの間のフィンピッチよりも大きくなっており、少なくとも前記の大きいフィンピッチは、前記フィンの板面からの前記カラーの突出量である前記カラーの高さよりも大きくなっており、前記熱交換器には曲げ部が形成され、前記伝熱管の管軸方向に沿って一定の範囲に積層されている前記フィンの枚数が、前記熱交換器の直線部よりも前記曲げ部の方が多くなっていることにより、前記直線部に配置された前記フィンの間のフィンピッチが、前記曲げ部に配置された前記フィンの間フィンピッチよりも大きくなっているものである。
【手続補正６】
【補正対象書類名】特許請求の範囲
【補正対象項目名】全文
【補正方法】変更
【補正の内容】
【特許請求の範囲】
【請求項１】
吸込口及び吹出口が形成された筐体と、
該筐体に設けられた熱交換器と、
前記筐体に設けられたファンと、
を備え、
前記熱交換器は、
所定のフィンピッチを介して積層された複数のフィンと、
前記フィンの長手方向に沿って所定の間隔を介して配置され、前記フィンの積層方向に沿って前記フィンを貫通する複数の伝熱管と、
を備え、
複数の前記伝熱管は、断面が扁平形状の伝熱管であり、
複数の前記フィンは、長手方向側の端部に、前記伝熱管の断面形状に対応した形状の複数の切り欠きが形成され、
複数の前記切り欠きの縁にはカラーが形成され、
これら前記切り欠きに前記伝熱管が挿入され、
複数の前記フィンの一部の間のフィンピッチは、他の前記フィンの間のフィンピッチよりも大きくなっており、
少なくとも前記の大きいフィンピッチは、前記フィンの板面からの前記カラーの突出量である前記カラーの高さよりも大きくなっており、
前記筐体には、前記熱交換器と前記ファンとの間の風路に収納物が収容され、
前記熱交換器は、
前記収納物との距離が所定の距離以内となる範囲のフィンピッチが、前記の大きいフィンピッチとなっていることを特徴とする空気調和機。
【請求項２】
前記熱交換器には曲げ部が形成され、
前記曲げ部に配置された前記フィンの間のフィンピッチが、直線部に配置された前記フィンの間フィンピッチよりも大きくなっていることを特徴とする請求項１に記載の空気調和機。
【請求項３】
前記熱交換器には曲げ部が形成され、
前記伝熱管の管軸方向に沿って一定の範囲に積層されている前記フィンの枚数が、前記熱交換器の直線部よりも前記曲げ部の方が多くなっていることにより、
前記直線部に配置された前記フィンの間のフィンピッチが、前記曲げ部に配置された前記フィンの間フィンピッチよりも大きくなっていることを特徴とする請求項１に記載の空気調和機。
【請求項４】
吸込口及び吹出口が形成された筐体と、
該筐体に設けられた熱交換器と、
前記筐体に設けられたファンと、
を備え、
前記熱交換器は、
所定のフィンピッチを介して積層された複数のフィンと、
前記フィンの長手方向に沿って所定の間隔を介して配置され、前記フィンの積層方向に沿って前記フィンを貫通する複数の伝熱管と、
を備え、
複数の前記伝熱管は、断面が扁平形状の伝熱管であり、
複数の前記フィンは、長手方向側の端部に、前記伝熱管の断面形状に対応した形状の複数の切り欠きが形成され、
複数の前記切り欠きの縁にはカラーが形成され、
これら前記切り欠きに前記伝熱管が挿入され、
複数の前記フィンの一部の間のフィンピッチは、他の前記フィンの間のフィンピッチよりも大きくなっており、
少なくとも前記の大きいフィンピッチは、前記フィンの板面からの前記カラーの突出量である前記カラーの高さよりも大きくなっており、
前記熱交換器には曲げ部が形成され、
前記伝熱管の管軸方向に沿って一定の範囲に積層されている前記フィンの枚数が、前記熱交換器の直線部よりも前記曲げ部の方が多くなっていることにより、
前記直線部に配置された前記フィンの間のフィンピッチが、前記曲げ部に配置された前記フィンの間フィンピッチよりも大きくなっていることを特徴とする空気調和機。
【請求項５】
前記筐体には、前記熱交換器と前記ファンとの間の風路に収納物が収容され、
前記熱交換器は、
前記収納物との距離が所定の距離以内となる範囲のフィンピッチが、前記の大きいフィンピッチとなっていることを特徴とする請求項４に記載の空気調和機。
【請求項６】
前記筐体は、少なくとも一側面部に前記吸込口が形成されて、上面部に前記吹出口が形成され、
前記熱交換器は、該吸込口に対向して設けられ、
前記ファンは、プロペラファンであり、前記吹出口に対向して設けられ、
該プロペラファンの直径をＤ、前記熱交換器と前記収納物との間の距離をＬとした場合、
前記熱交換器は、
Ｌ／Ｄ≦０．１５の関係となる範囲のフィンピッチが、前記の大きいフィンピッチとなっていることを特徴とする請求項１〜３，５のいずれか一項に記載の空気調和機。
【請求項７】
請求項１〜３，５，６のいずれか一項に記載の空気調和機であって、
前記の大きいフィンピッチをｆｐ２、他の前記フィンの間のフィンピッチをｆｐ１とした場合、
当該熱交換器におけるフィンピッチがｆｐ２となっている範囲の前記フィンのフィンピッチをｆｐ１に形成した熱交換器を当該空気調和機に用いた場合の成績係数に対し、当該空気調和機の成績係数が９５％以上となるようにｆｐ２が設定されていることを特徴とする空気調和機。
【請求項８】
前記収納物は制御盤であり、該制御盤は前記筐体の一側面部に設けられ、
前記吸込口は、前記制御盤が配置された前記筐体の側面部と隣接する側面部に少なくとも形成され、
前記熱交換器は、該吸込口に対向して設けられ、
前記熱交換器における前記制御盤側の端部のフィンピッチが、前記の大きいフィンピッチとなっていることを特徴とする請求項１〜３，５〜７のいずれか一項に記載の空気調和機。
【請求項９】
前記熱交換器は、該熱交換器を通る空気の流れ方向に沿って、複数の熱交換器部に分割されており、
これら分割された複数の前記熱交換器部のうちの少なくとも１つは、下流側に配置された前記熱交換器部のフィンピッチが上流側に配置された前記熱交換器部のフィンピッチよりも大きくなっていることを特徴とする請求項１〜請求項８のいずれか一項に記載の空気調和機。
【請求項１０】
前記熱交換器は、該熱交換器を通る空気の流れ方向に沿って、複数の熱交換器部に分割されており、
これら分割された複数の前記熱交換器部のうちの少なくとも１つは、上流側に配置された前記熱交換器部のフィンピッチが下流側に配置された前記熱交換器部のフィンピッチよりも大きくなっていることを特徴とする請求項１〜請求項８のいずれか一項に記載の空気調和機。
【請求項１１】
前記筐体は、少なくとも一側面部に前記吸込口が形成されて、上面部に前記吹出口が形成され、
前記ファンは、プロペラファンであり、前記吹出口に対向して設けられ、
前記熱交換器は、該吸込口に対向して設けられ、上下方向に、複数の熱交換器部に分割されており、
これら分割された複数の前記熱交換器部のうちの少なくとも１つは、下方に配置された前記熱交換器部のフィンピッチが上方に配置された前記熱交換器部のフィンピッチよりも大きくなっていることを特徴とする請求項１〜請求項１０のいずれか一項に記載の空気調和機。
【請求項１２】
前記フィンと前記伝熱管とは、ろう付け又は接着にて固着されていることを特徴とする請求項１〜請求項１０のいずれか一項に記載の空気調和機。
【国際調査報告】
2014024221.tif 000015
2014024221.tif 000016
2014024221.tif 000017
2014024221.tif 000018
2014024221.tif 000019